【事件の表示】
　平成　８年特許願第２６３３４６号「データ再生装置」拒絶査定に対する審判事件［平成１０年　４月２８日出願公開、特開平１０−１１２０３０］について、次のとおり審決する。
【結　論】
　本件審判の請求は、成り立たない。
【理　由】
１．出願の経緯、本願発明
　本願は、平成８年１０月３日の出願であって、その請求項２に係る発明は、明細書及び図面の記載からみて、特許請求の範囲の請求項２に記載された次のとおりのものと認める。（以下、「本願発明」という）なお、平成１２年１１月２４日付けの手続補正は却下された。
「【請求項２】
　光ディスクのピットポジション記録されたデータ及びエッジポジション記録されたデータを再生するデータ再生装置において、前記光ディスクから再生波形を得る手段と、同期クロック信号を生成する生成手段と、生成した同期クロック信号に同期して再生波形からサンプリング値を得るサンプリング手段と、得られたサンプリング値に基づいてピットポジション記録されたデータを検出する第１検出手段と、得られたサンプリング値に基づいてエッジポジション記録されたデータを検出する第２検出手段とを備えることを特徴とするデータ再生装置。」
　
２．引用例
　これに対して、原査定の拒絶の理由に引用された、特開平８−８７８２８号公報（平成８年４月２日出願公開。以下「引用例１」という）には、以下の記載がある。
「【００４１】
　次に、上述したような記録系によりデータの記録がなされた光ディスク１からデータを再生するための再生系は、例えば、図４に示すように構成されている。図４において、光ディスク１，光学ヘッド２，アンプ６，フィルタ／イコライザ７，ＰＬＬ回路９，復調器１０，Ａ／Ｄ変換器１３、最尤復号器１４及び二値化回路１７が設けられている。光ディスク１から光学ヘッド２を介して記録データに対応した再生信号が得られ、該再生信号がアンプ６にて増幅された後にフィルタ／イコライザ７にて波形整形される。波形整形された信号はＡ／Ｄ変換器１３によってデジタル信号に変換され、このデジタル信号は最尤復号器１４により復調される。二値化回路１７は、フィルタ／イコライザ７にて波形整形された信号を、例えば、あるスライスレベルを用いて二値化信号に変換する。そして、この二値化信号に基づいてＰＬＬ回路９がタイミングクロック信号を生成する。Ａ／Ｄ変換器１３及び最尤復号器１４は、ＰＬＬ回路９からのタイミングクロック信号に同期して動作する。このような、再生信号の生成から最尤復号までの各信号の状態が、例えば、図７（５），（６），（７），（８）及び図８（９），（１８）に示される。（なお、図７（８）及び図８（８）は同じ信号遷移状態を示す。）そして、最尤復号にて得られた信号は、更に復調器１０によって最終的なデータに復調される（１／７復調）。」
「【０１１７】
　図２９において、この信号再生系は、センタレベル二値化回路２１、エッジ検出回路２２、第一のＰＬＬ回路２３及び第二のＰＬＬ回路２４を有している。センタレベル二値化回路２１は、再生信号波形（１）の振幅の中点に対応した基準レベル（Ｌc ）を用いて該再生信号波形を二値化している。エッジ検出回路２２は、センタレベル二値化回路２１から供給される二値信号（２）の立ち上がり及び立ち下がりを検出し、立ち上がりに対応した前エッジ検出信号（３）及び立ち下がりに対応した後エッジ検出信号（４）を出力する。そして、第一のＰＬＬ回路２３は、前エンジ検出信号（３）に基づいて前エッジ同期クロック（５）を生成し、第二のＰＬＬ回路２４は、後エッジ検出信号（４）に基づいて後エッジ同期クロック（６）を生成する。」
「【０１２６】
　図３３は、当該実施例に係る光磁気ディスク装置の再生系を示す。図３３において、再生系は、図４に示すものと同様に、光ディスク１、光学ヘッド２、アンプ６、フィルタ／イコライザ７、第一及び第二のＰＬＬ回路９ａ，９ｂ、復調器１０、第一及び第二のＡ／Ｄ変換器１３ａ，１３ｂ、最尤復号器１４、二値化回路２１及びエッジ検出回路２２を有している。この再生系は、更に、切り換えロジック回路１５及び記録方式検出器１６を有している。最尤復号器１４は図２９と同様第一の回路，第二の回路から構成され、夫々が図１６に示すように構成されるとともに、そのマージ検出ユニット１４４は図３１に示すように構成され、第一の回路が前エッジデータ defk を検出し、第二の回路が後エッジデータ derk を検出するようになっている。記録方式検出器１６は、光ディスク１に長穴方式にてデータ記録がなされている場合にレベル“１”の選択信号sel を出力し、短穴方式にてデータ記録がなされている場合にレベル“０”の選択信号sel を出力する。切り換えロジック回路１５は、例えば、図３４に示すように、最尤復号器１４からの前エッジデータ defk 及び記録方式検出器１６からの選択信号selを入力するアンド回路１５１と該アンド回路１５１との出力信号と最尤復号器１４からの後エッジデータ derk とを入力するオア回路１５２とを有している。」
　これらの記載及び図面を参照すると、引用例１には以下の発明が記載されている。
「光ディスクの短穴方式にて記録されたデータ及び長穴方式にて記録されたデータを再生する光ディスク装置の再生系において、前記光ディスクから再生波形を得る光学ヘッド、アンプ、及びフィルタ／イコライザと、タイミングクロック信号を生成するＰＬＬ回路と、生成したタイミングクロック信号に同期して再生波形をデジタル信号に変換するＡ／Ｄ変換器と、得られたデジタル信号に基づいて、前エッジデータからピットポジション記録されたデータを検出するとともに、前エッジデータ及び後エッジデータからエッジポジション記録されたデータを検出する最尤復号器及び切換ロジック回路を備えることを特徴とするデータ再生装置。」
　
３．対比
　本願発明と、引用例１記載の発明とを対比する。
　引用例１記載の発明の、「短穴方式にて記録」「長穴方式にて記録」「光ディスク装置の再生系」「光学ヘッド、アンプ、及びフィルタ／イコライザ」「タイミングクロック信号」「ＰＬＬ回路」「デジタル信号」「Ａ／Ｄ変換器」「最尤復号器及び切換ロジック回路」が、本願発明の「ピットポジション記録」「エッジポジション記録」「データ再生装置」「光ディスクから再生波形を得る手段」「同期クロック信号」「生成手段」「サンプリング値」「サンプリング手段」「検出手段」に相当するから、本願発明と引用例１記載の発明とは、
「光ディスクのピットポジション記録されたデータ及びエッジポジション記録されたデータを再生するデータ再生装置において、前記光ディスクから再生波形を得る手段と、同期クロック信号を生成する生成手段と、生成した同期クロック信号に同期して再生波形からサンプリング値を得るサンプリング手段と、得られたサンプリング値に基づいてピットポジション記録されたデータを検出し、得られたサンプリング値に基づいてエッジポジション記録されたデータを検出する検出手段とを備えることを特徴とするデータ再生装置。」
である点で一致し、以下の点で相違する。
・相違点
　本願発明は、ピットポジション記録されたデータの検出と、エッジポジション記録されたデータの検出を、各々第１，第２の検出手段で行うのに対して、引用例１記載の発明は、一つの回路でピットポジション記録されたデータの検出と、エッジポジション記録されたデータの検出を行っている点。
　
４．当審の判断
　上記相違点につて検討する。
　原査定の拒絶の理由に引用された、特開平３−１４４９１９号公報（平成３年６月２０日出願公開。以下「引用例２」という）には、
(1)前エッジデータからピットポジション記録されたデータを検出するとともに、前エッジデータ及び後エッジデータからエッジポジション記録されたデータを検出する一つの回路を有する実施例（第１図〜第５図参照）
(2)ピットポジション記録されたデータの検出と、エッジポジション記録されたデータの検出を各々波形整形回路７０１、７０２で行う他の実施例（第９図参照）
が併記されており、引用例１記載の発明の、前エッジデータからピットポジション記録されたデータを検出するとともに、前エッジデータ及び後エッジデータからエッジポジション記録されたデータを検出する一つの回路を、引用例２において併記されたもう一方の実施例のごとく、ピットポジション記録されたデータの検出と、エッジポジション記録されたデータの検出を各々行う２つの検出手段を設けるよう変更することは、当業者が容易に想起し得たものと認められる。
　
５．むすび
　以上の理由により、本願発明は、引用例１，２に記載された発明に基づいて、当業者が容易に発明をすることができたものと認められるから、特許法第２９条第２項に規定により特許を受けることができない。
　よって、結論のとおり審決する。